(57)【要約】【課題】被固定部材を支持部材に対して盗難防止状態に容易に固定することができるネジセットを提供する。【解決手段】固定用ネジ部１２１を有するネジ本体１２と、そのネジ本体１２の外周に形成した雄ネジ部１２２に螺合されるナット１３とを備える。ネジ本体１２には、専用工具に対応する形状のフランジ１２３を形成する。雄ネジ部１２２及びナット１３の雌ネジ部１３１の少なくとも一方には、その両ネジ部１２２，１３１間の螺合力を固定用ネジ部１２１における螺合力より弱くするための滑動構成１４を設ける。【選択図】図２
2015031362.tif 000002
【特許請求の範囲】
【請求項１】
固定用ネジ部を有するネジ本体と、そのネジ本体の外周に形成した雄ネジ部に螺合されるナットとを備え、前記雄ネジ部及びナットの雌ネジ部の少なくとも一方には、その両ネジ部間の螺合力を前記固定用ネジ部における螺合力より弱くするための滑動手段を設けたネジセット。
【請求項２】
ネジ本体には専用工具に対応する形状のフランジを形成した請求項１に記載のネジセット。
【請求項３】
前記ネジ本体の固定用ネジ部は雌ネジである請求項１または２に記載のネジセット。
【請求項４】
前記ネジ本体の固定用ネジ部は雄ネジである請求項１または２に記載のネジセット。
【発明の詳細な説明】
【技術分野】
【０００１】
この発明は、被固定部材を支持部材に対して盗難を防止した状態で固定することができるネジセットに関するものである。
【背景技術】
【０００２】
従来、この種の被固定部材の盗難防止技術としては、例えば特許文献１に開示されるような技術が提案されている。この従来技術においては、支持部材上に被固定部材を支持するとともに、被固定部材の上面側からのボルトまたはナットの締め付けにより被固定部材を支持部材に固定した状態で、ボルトの頭部またはナットに合成樹脂よりなるキップ状の盗難防止具を被覆嵌着している。この盗難防止具の外周面は円筒状をなすように形成され、工具を用いてもボルトまたはナットを回転できないようになっている。
【先行技術文献】
【特許文献】
【０００３】
【特許文献１】特開２０１２−２４１３４０号公報
【発明の概要】
【発明が解決しようとする課題】
【０００４】
ところが、この従来の盗難防止方法においては、ボルトまたはナットにより被固定部材を支持部材上に固定した後、ハンマ等を用いてボルトの頭部またはナットに盗難防止具を嵌着する必要がある。このため、支持部材に対する被固定部材の固定作業が煩雑で時間がかかるという問題があった。
【０００５】
この発明は、このような従来の技術に存在する問題点に着目してなされたものである。その目的は、被固定部材を支持部材に対して盗難防止状態に容易に固定することができるネジセットを提供することにある。
【課題を解決するための手段】
【０００６】
上記の目的を達成するために、このネジセットは、固定用ネジ部を有するネジ本体と、そのネジ本体の外周に形成した雄ネジ部に螺合されるナットとを備え、前記雄ネジ部及びナットの雌ネジ部の少なくとも一方には、その両ネジ部間の螺合力を前記固定用ネジ部における螺合力より弱くするための滑動手段を設けたことを特徴としている。
【０００７】
従って、このネジセットの使用時には、ネジ本体の雄ネジ部にナットの雌ネジ部を螺合させることによって、ネジ本体とナットとを一体化した状態で、ナットに通常の工具を係合させて、ネジ本体の固定用ネジ部を締め付ければ、被固定部材を支持部材に対して容易に固定することができる。この固定状態においては、ネジ本体の雄ネジ部とナットの雌ネジ部との間の螺合力が固定用ネジ部における螺合力より弱くなっているため、ナットに通常の工具を係合させてネジセット全体を弛緩回転させようとしても、ナットのみがネジ本体に対して弛緩回転されて、ネジ本体の固定用ネジ部は締め付け状態に保持されている。よって、被固定部材を支持部材に対して容易に固定することができるとともに、簡単な構成によって被固定部材の盗難を的確に防止することができる。
【発明の効果】
【０００８】
前記のネジセットによれば、被固定部材を支持部材に対して盗難防止状態に容易に固定することができるという効果を発揮する。
【図面の簡単な説明】
【０００９】
【図１】第１実施形態の雌ネジセットを示す斜視図。
【図２】図１の雌ネジセットの分解斜視図。
【図３】同雌ネジセットの使用状態を示す断面図。
【図４】第２実施形態の雄ネジセットを示す斜視図。
【図５】図４の雄ネジセットの分解斜視図。
【図６】同雄ネジセットの使用状態を示す断面図。
【図７】変形例を示す斜視図。
【図８】図７の変形例の断面図。
【図９】別の変形例を示す断面図。
【図１０】さらに別の変形例を示す断面図。
【発明を実施するための形態】
【００１０】
（第１実施形態）
以下、雌ネジセットに具体化した第１実施形態を図１〜図３に従って説明する。
図１及び図２示すように、この実施形態の雌ネジセット１１には、ネジ本体１２とナット１３とが備えられている。ナット１３は、レンチ等の汎用の通常工具に対応するように六角形状をなしている。ネジ本体１２の中心には、雌ネジよりなる固定用ネジ部１２１が形成されている。ネジ本体１２の外周には、ナット１３の雌ネジ部１３１を螺合させる雄ネジ部１２２が形成されている。ネジ本体１２の端縁には、専用工具に対応する形状のフランジ１２３が形成されている。本実施形態では、専用工具の使用を可能にするためにフランジ１２３はその周面の３箇所に平面部１２４を備えている。そして、雌ネジセット１１は、ネジ本体１２の雄ネジ部１２２にナット１３が螺合された状態で市場に流通される。
【００１１】
前記ネジ本体１２の雄ネジ部１２２とナット１３の雌ネジ部１３１との少なくとも一方（本実施形態では一方であって、ナット１３にのみ）には、その両ネジ部１２２，１３１間の螺合力を前記固定用ネジ部１２１における螺合力より弱くするための滑動手段としての滑動構成１４が設けられている。本実施形態では、この滑動構成１４がフッ素コーティングよりなっている。
【００１２】
次に、前記のように構成された雌ネジセットの使用方法について説明する。
図３に示すように、この雌ネジセット１１を用いて、太陽電池パネル等の被固定部材１５を支持部材１６上に固定する場合には、例えば支持部材１６上に被固定部材１５を支持した状態で、支持部材１６の下面側から支持部材１６及び被固定部材１５のボルト挿通孔１６１，１５１に固定用ボルト１７を挿通する。この状態で、被固定部材１５の上面側から、固定用ボルト１７の先端に座金１８を介して雌ネジセット１１を螺合させる。なお、この座金１８は用いられないこともある。この場合、雌ネジセット１１は、あらかじめネジ本体１２の雄ネジ部１２２にナット１３の雌ネジ部１３１を螺合させることによって、ネジ本体１２とナット１３とが一体化されている。そして、ナット１３に汎用の通常工具を係合させて締め付け方向に回転させることにより、ネジ本体１２の固定用ネジ部１２１が固定用ボルト１７に締め付けられて、被固定部材１５が支持部材１６に対して固定される。
【００１３】
この被固定部材１５の固定状態においては、滑動構成１４によりネジ本体１２の雄ネジ部１２２とナット１３の雌ネジ部１３１との間の螺合力が、固定用ボルト１７に対する固定用ネジ部１２１の螺合力より弱くなっている。このため、ナット１３に通常の工具を係合させて雌ネジセット１１全体を弛緩回転させようとしても、ナット１３がネジ本体１２に対して弛緩回転されるのみで、ネジ本体１２の固定用ネジ部１２１は固定用ボルト１７に対して締め付け状態に保持されている。よって、雌ネジセット１１が固定用ボルト１７から取り外されて、太陽電池パネル等の被固定部材１５が盗難されるおそれはない。
【００１４】
なお、被固定部材１５等の補修点検等を行う場合には、ネジ本体１２上のフランジ１２３に専用工具を係合させて回転操作すれば、ネジ本体１２の固定用ネジ部１２１が固定用ボルト１７に対して弛緩されて、被固定部材１５を支持部材１６上から取り外すことができる。
【００１５】
従って、この実施形態によれば、以下のような効果を得ることができる。
（１）  この実施形態の雌ネジセットにおいては、固定用ネジ部１２１を有するネジ本体１２と、そのネジ本体１２の外周に形成した雄ネジ部１２２に螺合されるナット１３とが備えられている。ネジ本体１２には、専用工具に対応する形状のフランジ１２３が形成されている。雄ネジ部１２２及びナット１３の雌ネジ部１３１の少なくとも一方には、その両ネジ部１２２，１３１間の螺合力を固定用ネジ部１２１における螺合力より弱くするための滑動構成１４が施されている。
【００１６】
このため、ネジ本体１２とナット１３とを一体化した状態で、ナット１３に汎用の通常工具を係合させて、ネジ本体１２の固定用ネジ部１２１を締め付けることにより、被固定部材１５を支持部材１６に対して容易に固定することができる。この固定状態においては、ネジ本体１２の雄ネジ部１２２とナット１３の雌ネジ部１３１との間の螺合力が固定用ネジ部１２１における螺合力より弱くなっているため、通常工具により雌ネジセット１１全体を弛緩回転させようとしても、ナット１３のみがネジ本体１２に対して弛緩回転される。よって、被固定部材１５を支持部材１６に対して容易に固定することができるとともに、簡単な構成によって被固定部材１５の盗難を適切に防止することができる。
【００１７】
（２）  この実施形態においては、前記滑動構成１４がフッ素コーティングからなっている。このため、部品点数が増えることなく、簡単な滑動構成１４によって、ネジ本体１２の雄ネジ部１２２とナット１３の雌ネジ部１３１との間の螺合力を固定用ネジ部１２１における螺合力より弱くなるように設定することができる。
【００１８】
（第２実施形態）
次に、雄ネジセットに具体化した第２実施形態を前記第１実施形態と異なる部分を中心に説明する。
【００１９】
図４〜図６に示すように、この第２実施形態の雄ネジセット２１には、ネジ本体１２とナット１３とが備えられている。ネジ本体１２の一側には、雄ネジよりなる固定用ネジ部１２１が突設されている。ネジ本体１２の頭部側の他側には、ナット１３の雌ネジ部１３１を螺合させる雄ネジ部１２２が形成されている。ネジ本体１２の中間部には、専用工具に対応する形状のフランジ１２３が形成されている。そして、前記第１実施形態の場合と同様に、ネジ本体１２の雄ネジ部１２２とナット１３の雌ネジ部１３１との少なくとも一方（実施形態では一方であって、ナット１３にのみ）には、その両ネジ部１２２，１３１間の螺合力を前記固定用ネジ部１２１における螺合力より弱くするためのフッ素コーティングよりなる滑動構成１４が設けられている。そして、雄ネジセット２１は、ネジ本体１２の頭部側の雄ネジ部１２２にナット１３が螺合された状態で市場に流通される。
【００２０】
図６に示すように、この雄ネジセット２１を用いて、被固定部材１５を支持部材１６上に固定する場合には、支持部材１６上に被固定部材１５を支持した状態で、被固定部材１５の上面側から被固定部材１５及び支持部材１６のボルト挿通孔１５１，１６１に、座金１８を介して雄ネジセット２１の固定用ネジ部１２１を挿通する。この場合も、座金１８は用いられない場合がある。この状態で、支持部材１６の下面側から固定用ネジ部１２１に固定用ナット２２を螺合させる。この場合、雄ネジセット２１は、予めネジ本体１２の雄ネジ部１２２にナット１３の雌ネジ部１３１を螺合させることによって、ネジ本体１２とナット１３とが一体化されている。そして、ナット１３に通常の工具を係合させて締め付け方向に回転させることにより、ネジ本体１２の固定用ネジ部１２１が固定用ナット２２に締め付けられて、被固定部材１５が支持部材１６に対して固定される。
【００２１】
この被固定部材１５の固定状態においては、前記第１実施形態の場合と同様に、雄ネジセット２１のナット１３に通常の工具を係合させて雄ネジセット２１全体を弛緩回転させようとしても、ナット１３がネジ本体１２に対して弛緩回転されるのみで、ネジ本体１２の固定用ネジ部１２１は固定用ナット２２に対して締め付け状態に保持されている。よって、雄ネジセット２１が固定用ナット２２から取り外されて、被固定部材１５が盗難されるおそれはない。
【００２２】
被固定部材１５等の補修点検等を行う場合には、ネジ本体１２上のフランジ１２３に専用工具を係合させて回転操作すれば、ネジ本体１２の固定用ネジ部１２１がナット２２に対して弛緩されて、被固定部材１５を支持部材１６上から取り外すことができる。
【００２３】
従って、この第２実施形態において、前記第１実施形態における（１）及び（２）に記載の効果とほぼ同様な効果を得ることができる。
（変更例）
なお、この実施形態は、次のように変更して具体化することも可能である。
【００２４】
・  雌ネジセット１１，雄ネジセット２１を構成するナット１３をキャップ状の袋ナットによって構成すること。
・  支持部材１６上に固定用ボルト１７を突出固定し、その固定用ボルト１７に対して雌ネジセット１１上の雌ネジよりなる固定用ネジ部１２１を螺合すること。
【００２５】
・  固定用ナット２２に代えて支持部材１６に固定用雌ネジを形成し、その固定用雌ネジに対して雄ネジセット２１上の雄ネジよりなる固定用ネジ部１２１を螺合すること。
・  滑動手段として、前記実施形態のフッ素コーティングとは別の構成を採用すること。例えば、フッ素コーティングに代えて二硫化モリブデンや、潤滑油等の摩擦係数が低い材料や潤滑性を発揮する材料を用いること。
【００２６】
・  同じく滑動手段として、前記実施形態のフッ素コーティング以外の構成、例えば、ネジ本体１２の雄ネジ部１２２とナット１３の雌ネジ部１３１との間のクリアランスを、ネジ本体１２の固定用ネジ部１２１と固定用ボルト１７あるいは固定用ナット２２との間のクリアランスより大きくすること。あるいは、ネジ本体１２の固定用ネジ部１２１と固定用ボルト１７あるいは固定用ナット２２との間の一部または全体に接着剤を介在させて、外し難くし、結果としてネジ本体１２の雄ネジ部１２２とナット１３の雌ネジ部１３１との間の螺合力を他の部分の螺合力より相対的に弱くすること。
【００２７】
・  ネジ本体１２のフランジ１２３と、そのフランジ１２３と当たる座金１８（座金１８が設けられない場合は、被固定部材１５）との少なくとも一方にネジ本体１２の回転に抵抗を与える手段を設けること。この抵抗を与える手段としては、フランジ１２３や、座金１８あるいは被固定部材１５の当接面に凹凸を形成したり、粗面加工を施したり、または、フランジ１２３と、座金１８あるいは被固定部材１５との間にゴム等の摩擦係数の高い材料のものを介在させたりすることが考えられる。この場合も、結果としてネジ本体１２の雄ネジ部１２２とナット１３の雌ネジ部１３１との間の螺合力を他の部分の螺合力より相対的に弱くすることになる。
【００２８】
・  専用工具のための平面部１２４の数を２箇所以下または４箇所以上に変更すること。
・  フランジ１２３の外周を平面部１２４のみで構成すること。この場合、フランジ１２３の外周形状を汎用の通常工具を使用できない形状にする。
【００２９】
・  フランジ１２３の外周を星形等の凹凸形状にすること。
・  フランジ１２３の外周の専用工具のための平面部１２４を無くすこと。従って、フランジ１２３の外周は円形になる。
【００３０】
・  図７及び図８に示すように、フランジ１２３の外周の平面部１２４以外の部分であって、被固定部材１５の反対側の縁部にコーナが形成されないように丸く形成すること。あるいは、２点鎖線Ｌで示すように、同部分をナット１３側に向かって収束するテーパ状にすること。このようにすれば、通常工具をより使用し難くなる。なお、これらの構成を平面部１２４を有しない構成において具体化してもよい。
【００３１】
・  図９及び図１０に示すように、ネジ本体１２のフランジ１２３を省略し、ナット１３と被固定部材１５との間に間隔２５が形成されるようにすること。この構成の場合、雄ネジ部１２２の下部に無ネジ部１２５を設けたり、雄ネジ部１２２の端面にナット１３の内奥面が当たるようにしたりすることにより前記間隔２５が形成される。この構成の場合、雌ネジセット１１や雄ネジセット２１を組み付けた後は、前記各実施形態と同様に、ナット１３のみが弛緩回転されて、盗難が防止される。そして、この図９及び図１０の構成においては、ナット１３はその外周面が円形に構成され、ナット１３の頂面にドライバのためのプラス，マイナス等の溝１３２やレンチのための六角孔を設けることが好ましい。
【００３２】
（他の技術的思想）
前記実施形態から把握される技術的思想は以下の通りである。
（Ａ）  前記滑動手段はフッ素コーティングである請求項１〜３のうちのいずれか一項に記載のネジセット。
【００３３】
（Ｂ）  前記滑動手段はネジ本体１２の雄ネジ部１２２とナット１３の雌ネジ部１３１との間のクリアランスを、ネジ本体１２の固定用ネジ部１２１と固定用ボルト１７あるいは固定用ナット２２との間のクリアランスより大きくするである請求項１〜３のうちのいずれか一項に記載のネジセット。
【符号の説明】
【００３４】
１１…雌ネジセット、１２…ネジ本体、１２１…固定用ネジ部、１２２…雄ネジ部、１２３…フランジ、１３…ナット、１３１…雌ネジ部、１４…滑動手段としての滑動構成、１５…被固定部材、１６…支持部材、１７…固定用ボルト、２１…雄ネジセット、２２…固定用ナット。
【図１】
2015031362.tif 000003
【図２】
2015031362.tif 000004
【図３】
2015031362.tif 000005
【図４】
2015031362.tif 000006
【図５】
2015031362.tif 000007
【図６】
2015031362.tif 000008
【図７】
2015031362.tif 000009
【図８】
2015031362.tif 000010
【図９】
2015031362.tif 000011
【図１０】
2015031362.tif 000012